(57)【特許請求の範囲】
【請求項１】
履物を構成し地面に接する部位を有するアウトソール部と、このアウトソール部に着脱可能で足の甲を跨ぐ部位を有するアッパー部と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部上面、または、裏面の中央に形成された凹みと、前記挿入片が前記挿入孔を貫通した状態における前記係止孔を係止できる位置で、前記アウトソール部に形成された係止突起と、を有し、前記挿入片が挿入される方向は、前記アウトソール部の周囲から内側へ向かい、前記挿入孔を貫通後、前記凹み底に配置され、内側に向かって上下方向斜めに伸びた後、ほぼ水平になる部分が形成された前記係止突起によって、前記係止孔が前記ほぼ水平になる部分を通過後、上下方向、及び挿入方向に係止されることにより着脱可能となることを特徴とする履物。
【請求項２】
履物を構成し地面に接する部位を有するアウトソール部と、このアウトソール部に着脱可能で足の甲を跨ぐ部位を有するアッパー部と、前記アウトソール部上面に装着されるインソール部と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部上面の中央に形成された凹みと、前記係止孔と重なる位置で前記凹み底に形成された嵌合孔と、前記インソール部が装着された状態において、前記係止孔を貫通し、前記嵌合孔に嵌合できる位置で前記インソール部に形成された嵌合突起と、を有し、前記挿入片が挿入される方向は、前記アウトソール部の周囲から内側へ向かい、前記挿入孔を貫通後、前記凹みに位置し、前記インソール部を装着することで、前記嵌合突起により、前記係止孔と前記嵌合孔に上下方向に貫通と嵌合が同時に行われることにより着脱可能となることを特徴とする履物。
【請求項３】
履物を構成し地面に接する部位を有するアウトソール部と、このアウトソール部に着脱可能で足の甲を跨ぐ部位を有するアッパー部と、前記アウトソール部裏面に装着される裏蓋と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部裏面の中央に形成された凹みと、前記係止孔と重なる位置で前記凹み底に形成された嵌合孔と、前記裏蓋が装着された状態において、前記係止孔を貫通し、前記嵌合孔に嵌合できる位置で前記裏蓋に形成された嵌合突起と、を有し、前記挿入片が挿入される方向は、前記アウトソール部の周囲から内側へ向かい、前記挿入孔を貫通後、前記凹みに位置し、前記裏蓋を装着することで、前記嵌合突起により、前記係止孔と前記嵌合孔に上下方向に貫通と嵌合が同時に行われることにより着脱可能となることを特徴とする履物。
【請求項４】
前記挿入孔の寸法が、前記挿入時に前記挿入片が前記挿入孔に接し左右から押されて前記係止孔が潰れることにより左右幅が小さくなることで、はじめて挿入可能になる寸法であることを特徴とする請求項１、２または３記載の履物。
【請求項５】
削除
【請求項６】
削除
【請求項７】
削除
【請求項８】
削除
【請求項９】
削除
【請求項１０】
削除
【発明の詳細な説明】
【技術分野】
【０００１】
この発明は、アウトソール部とアッパー部とを有して成る履物に関し、特に、アッパー部が着脱可能な構造に関する。
【背景技術】
【０００２】
下記特許文献１には、サンダルのアッパー部を構成するストラップ部（４０）が、着脱可能に装着される機構が開示される。この機構は、ストラップ部（４０）の両端に形成される孔（４１）に、アウトソール（１０）に設けられた突起状の係止部（２０）が挿入され、この係止部（２０）が有する抜け止め爪（２１ｏｒ２５Ａ）によって抜け止が図られるものである。
【先行技術文献】
【特許文献】
【０００３】
【特許文献１】実登３０８３６９３
【発明の概要】
【発明が解決しようとする課題】
【０００４】
しかしながら、上記特許文献１では、単なる抜け止め爪（２１ｏｒ２５Ａ）によっては、強度的に十分な抜け止めを行うことが出来ない。また、ストラップ部（４０）の両端をアウトソール（１０）に設けられた突起状の係止部（２０）に向かって下方へ移動し、挿入を行わなければならず、この移動挿入のために、アウトソール（１０）には上下方向に大きなスペースを設ける必要があり、薄い履物には適用できなかった。
【０００５】
この発明は、以上の問題点を解決するために、着脱可能に装着されるアッパー部抜けを十分に防止でき、しかも薄型化を図れる履物を提供することを目的とする。
【課題を解決するための手段】
【０００６】
以上の課題を解決するために、第一発明は、履物を構成し地面に接する部位を有するアウトソール部と、このアウトソール部に着脱可能で足の甲を跨ぐ部位を有するアッパー部と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部上面、または、裏面の中央に形成された凹みと、前記挿入片が前記挿入孔を貫通した状態における前記係止孔を係止できる位置で、前記アウトソール部に形成された係止突起と、を有し、前記挿入片が挿入される方向は、前記アウトソール部の周囲から内側へ向かい、前記凹みに貫通後、前記凹み底に配置された前記係止突起によって、前記係止孔が挿入方向に係止されることを特徴とする履物である。
【０００７】
第二発明は、第一発明の履物において、さらに前記アウトソール部上面に装着されるインソール部、または、前記アウトソール部裏面に装着される裏蓋と、前記係止突起に代えて、アッパー部の装着が行われた状態における前記係止孔と重なる位置でアウトソール部に形成された嵌合孔と、前記係止孔を貫通し、前記嵌合孔に嵌合できる位置で前記インソール部、または、前記裏蓋に形成された嵌合突起と、を有し、前記挿入片が前記凹みに貫通後、前記嵌合突起により、前記係止孔と前記嵌合孔に上下方向に貫通と嵌合が同時に行われることを特徴とする履物である。
【０００８】
第三発明は、第一発明の履物において、前記係止孔に代えて、前記挿入片先端部に形成された係止爪、または、係止くびれと、前記係止突起に代えて、前記挿入片が前記挿入孔を貫通した状態における前記係止爪、または前記係止くびれを係止できる位置で、前記アウトソール部に形成された係止受け部と、を有し、前記挿入片が前記凹みに貫通後、前記凹み底に形成された前記係止受け部によって、前記係止爪、または、前記係止くびれが係止されることを特徴とする履物である。
【０００９】
第四発明は、第一発明の履物において、さらに前記インソール部、または、前記裏蓋と、前記係止孔に代えて、前記係止爪、または、前記係止くびれと、前記係止突起に代えて、前記挿入片が前記挿入孔を貫通した状態における前記係止爪、または、前記係止くびれを係止できる位置で、前記インソール部、または、前記裏蓋に形成された係止受け部と、を有し、前記挿入片が前記凹みに貫通後、前記インソール部、または、前記裏蓋に形成された前記係止受け部によって、前記係止爪、または、前記係止くびれが係止されることを特徴とする履物である。
【００１０】
第五発明は、第一発明の履物において、さらに前記インソール部、または、前記裏蓋と、前記係止孔に代えて、前記係止爪、または、前記係止くびれと、前記係止突起に代えて、前記挿入片が前記挿入孔を貫通した状態における前記係止爪、または、前記係止くびれを係止できる位置で、前記インソール部、または、前記裏蓋が前記アウトソール部に装着されることで、形成される係止受け部と、を有し、前記挿入片が前記凹みに貫通後、前記インソール部、または、前記裏蓋が前記アウトソール部に装着されることで、形成される係止受け部によって、前記係止爪、または、前記係止くびれが係止されることを特徴とする履物である
【００１１】
第六発明は、第一発明の履物において、前記係止孔に代えて、前記係止爪、または、前記係止くびれを有し、前記係止突起は設けず、前記挿入孔そのものが係止受け部となり、前記係止爪、または、前記係止くびれが、前記凹みに貫通すると同時に係止されることを特徴とする履物である。
【００１２】
第七発明は、第一、第二発明の履物において、さらに、前記挿入孔の寸法が、前記挿入時に前記挿入片が前記挿入孔に接し左右から押されて前記係止孔が潰れることにより左右幅が小さくなることで、はじめて挿入可能になる寸法であることを特徴とする履物である。
【００１３】
第八発明は、第一、第二、第七発明の履物において、さらに、前記挿入片が、舌状で、先が尖った形状を有し、前記係止孔は前記挿入方向に向かって前後に長く、或いは、先端または/および後端が、尖った形状を有することを特徴とする履物である。
【００１４】
第九発明は、さらに、第一、第七、第八発明の履物においては、前記係止突起について、第三発明の履物においては係止受け部について、前記挿入方向手前側に向かってスロープ状に傾斜していることを特徴とする履物である。
【００１５】
第十発明は、第二、第七、第八発明の履物において、さらに、前記嵌合突起と前記嵌合孔が、係止形状になっていることを特徴とする履物である。
そして、請求項１の発明は、履物を構成し地面に接する部位を有するアウトソール部と、このアウトソール部に着脱可能で足の甲を跨ぐ部位を有するアッパー部と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部上面、または、裏面の中央に形成された凹みと、前記挿入片が前記挿入孔を貫通した状態における前記係止孔を係止できる位置で、前記アウトソール部に形成された係止突起と、を有し、前記挿入片が挿入される方向は、前記アウトソール部の周囲から内側へ向かい、前記挿入孔を貫通後、前記凹み底に配置され、内側に向かって上下方向斜めに伸びた後、ほぼ水平になる部分が形成された前記係止突起によって、前記係止孔が前記ほぼ水平になる部分を通過後、上下方向、及び挿入方向に係止されることを特徴とする履物である。
そして、請求項２の発明は、履物を構成し地面に接する部位を有するアウトソール部と、このアウトソール部に着脱可能で足の甲を跨ぐ部位を有するアッパー部と、前記アウトソール部上面に装着されるインソール部と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部上面の中央に前記挿入片が挿入される方向は、前記アウトソール部の周囲から内側形成された凹みと、前記係止孔と重なる位置で前記凹み底に形成された嵌合孔と、前記インソール部が装着された状態において、前記係止孔を貫通し、前記嵌合孔に嵌合できる位置で前記インソール部に形成された嵌合突起と、を有し、へ向かい、前記挿入孔を貫通後、前記凹みに位置し、前記インソール部を装着することで、前記嵌合突起により、前記係止孔と前記嵌合孔に上下方向に貫通と嵌合が同時に行われることを特徴とする履物である。
そして、請求項３の発明は、履物を構成し地面に接する部位を有するアウトソール部と、このアウトソール部に着脱可能で足の甲を跨ぐ部位を有するアッパー部と、前記アウトソール部裏面に装着される裏蓋と、前記着脱のために、前記アッパー部の周囲に複数形成され、弾性を有する材料から成る挿入片と、これら各挿入片に開けられた係止孔と、前記アッパー部の装着が行われた状態における前記各挿入片の位置で、前記アウトソール部に形成され、前記挿入片が挿入され貫通する挿入孔と、前記アウトソール部裏面の中央に形成された凹みと、前記係止孔と重なる位置で前記凹み底に形成された嵌合孔と、前記裏蓋が装着された状態において、前記係止孔を貫通し、前記嵌合孔に嵌合できる位置で前記裏蓋に形成された嵌合突起と、を有し、前記挿入片が挿入される方向は、前記アウトソール部の周囲から内側へ向かい、前記挿入孔を貫通後、前記凹みに位置し、前記裏蓋を装着することで、前記嵌合突起により、前記係止孔と前記嵌合孔に上下方向に貫通と嵌合が同時に行われることを特徴とする履物である。
そして、請求項４の発明は、請求項１、２または３記載の履物において、前記挿入孔の寸法が、前記挿入時に前記挿入片が前記挿入孔に接し左右から押されて前記係止孔が潰れることにより左右幅が小さくなることで、はじめて挿入可能になる寸法であることを特徴とする履物である。
【発明の効果】
【００１６】
第一発明によれば、アウトソール部にアッパー部を装着する際には、アッパー部の各挿入片を、アウトソール部の各挿入孔に挿入する。挿入片が挿入孔へ挿入される方向は、従来のように上下方向ではなく、アウトソール部の周囲から内側へ向かい、アウトソール部上面または裏面の中央に形成された凹みに貫通後、挿入片を挿入方向へさらに伸長させ、各挿入片の係止孔を凹み底に配置された係止突起に嵌めることによって、係止孔が係止される。この係止によって挿入片は、挿入孔から抜けにくくなる。さらに、挿入片は、挿入孔によって自由な動きが規制される。これらのことから、アッパー部の抜けが十分に防止できる。
すなわち、挿入片が挿入され係止されるためのスペースは大きい程、アッパー部とアウトソール部の接続部分を広く取れるため、アッパー部のアウトソール部への装着を強固にできることから、挿入片を下方ではなく内側に向かわせることにより、大きく必要なスペースを略水平にとることで、アッパー部の抜けが十分に防止できる上、アウトソールの上下方向のスペースを小さくでき、よって、履物の薄型化を図ることができる。
【００１７】
また、係止孔それぞれが係止突起によって係止され、挿入孔によって挿入片の自由な動きが規制されることで、各挿入片一つ一つの抜け止めを図っているが、仮にその一つについて、係止が外れたとしても、隣り合った挿入片が、纏まって外れない以上、挿入片が挿入孔から抜けることはなく、すなわちアッパー部とアウトソール部の装着が外れない構造になっている為、全体重が掛かる履物の安全を十分配慮したものとなっている。
そして、アウトソール部からアッパー部を外す際には、各係止突起から各係止孔を外す。その後に、挿入片を引っ張ると、挿入片が挿入孔から抜け、アッパー部を外すことができる。
これらの構造により、着脱可能に装着される履物のアッパー部の抜けを十分に防止できる上、薄型化を図ることができる。
【００１８】
第二発明によれば、第一発明の係止にかえて、インソール部、または、裏蓋に形成された嵌合突起によって、アッパー部の各挿入片に開けられた係止孔とアウトソール部に形成された嵌合孔に同時に貫通と嵌合を行うことにより、挿入片の挿入孔からの抜け止めを図ることが出来る。
すなわち、挿入片が挿入孔へ挿入され、中央凹みに貫通後、インソール部、または、裏蓋に形成された嵌合突起によって、アッパー部の各挿入片に開けられた係止孔とアウトソール部に形成された嵌合孔に同時に貫通と嵌合が行われる。この貫通と嵌合により、第一発明同様、挿入片は挿入孔から抜けにくくなり、着脱可能に装着される履物のアッパー部の抜けを十分に防止できる上、薄型化を図ることができる。
【００１９】
第三発明によれば、第一発明の係止の方法にかえて、各挿入片に形成された係止爪、または、係止くびれが、中央の凹み底に配置された係止受け部によって、係止されることにより、挿入片の挿入孔からの抜け止めを図ることができる。
すなわち、挿入片が挿入孔へ挿入され、中央の凹みに貫通後、凹み底に配置された係止受け部によって、挿入片に形成された係止爪、または、係止くびれが係止される。この係止により、第一発明同様、挿入片は挿入孔から抜けにくくなり、着脱可能に装着される履物のアッパー部の抜けを十分に防止できる上、薄型化を図ることができる。
【００２０】
第四発明によれば、第一発明の係止の方法に代えて、各挿入片に形成された係止爪、または、係止くびれが、インソール部または裏蓋に形成された係止受け部によって、係止されることにより、挿入片の挿入孔からの抜け止めを図ることができる。
すなわち、挿入片が挿入孔へ挿入され、中央の凹みに貫通後、インソール部または裏蓋が装着されることで、インソール部または裏蓋に形成された係止受け部によって、挿入片に形成された係止爪または係止くびれが係止される。この係止により、第一発明同様、挿入片は挿入孔から抜けにくくなり、着脱可能に装着される履物のアッパー部の抜けを十分に防止できる上、薄型化を図ることができる。
【００２１】
第五発明によれば、第一発明の係止の方法にかえて、各挿入片に形成された係止爪、または、係止くびれが、インソール部または裏蓋がアウトソール部に装着されることで形成される係止受け部によって、係止されることにより、挿入片の挿入孔からの抜け止めを図ることができる。  
すなわち、挿入片が挿入孔へ挿入され、中央の凹みに貫通後、インソール部または裏蓋がアウトソール部に装着されることで、形成される係止受け部によって、挿入片に形成された係止爪、または、係止くびれが係止される。この係止により、第一発明同様、挿入片は挿入孔から抜けにくくなり、着脱可能に装着される履物のアッパー部の抜けを十分に防止できる上、薄型化を図ることができる。
【００２２】
第六発明によれば、第一発明における係止突起のような挿入片をアウトソール部に装着させる機構を設けることなく、挿入孔そのものが係止受け部となり、挿入片に形成された係止爪、または、係止くびれが、中央の凹みに貫通すると同時に係止されることにより、挿入片の挿入孔からの抜け止めを図ることが出来る。
すなわち、挿入片が挿入孔へ挿入され、中央の凹みに貫通することで挿入片に形成された係止爪、または、係止くびれによって挿入片が係止される。この係止により、第一発明同様、挿入片は挿入孔から抜けにくくなり、着脱可能に装着される履物のアッパー部の抜けを十分に防止できる上、薄型化を図ることができる。
【００２３】
第七発明によれば、第一発明、第二発明において、さらに、挿入孔の寸法は、係止孔が潰れることにより、挿入が可能になるぎりぎりの大きさにすることで、挿入片の抜けを十分に防止すると共に、アッパー部に係る力に耐えうる構造になっている。
すなわち、挿入片が挿入時に挿入孔に接し左右から押され、よって係止孔が潰れることにより、左右幅が小さくなることで、はじめて挿入可能になる挿入孔の大きさにする。このことから、次に挿入され貫通し、弾性により元の大きさに拡径するか、次に、挿入片の係止孔に、それぞれアウトソール部の係止突起を嵌め込み、または、インナー部、もしくは、裏蓋の嵌合突起を貫通させることにより、この係止孔はふくらみ、よって挿入片の左右幅は元のように大きくなる。そして、挿入片を挿入孔から抜く方向へ力が加わっても、係止突起、または、嵌合突起がじゃまになり、挿入片の左右幅は小さくならないので、挿入片の抜けを防止できる。
しかも、挿入片を購入孔から引き抜く方向へ力が加わると、挿入片は再び、挿入孔に接し左右から押され、よって係止孔が潰れる方向に力が働くので、係止孔は係止突起、または、嵌合突起を強くつかむことになって、摩擦が大きくなり、係止はより強固になり、挿入片の抜けをより強く防止できる。
【００２４】
また、アッパー部は直接的には、係止孔がアウトソール部の係止突起よって係止され、または、インナー部、もしくは、裏蓋の嵌合突起が、係止孔を貫通し、アウトソール部の嵌合孔に嵌合することにより、アウトソール部の中央の凹み底に装着されるが、アッパー部の挿入片がアウトソール部の挿入孔に挿入され、貫通することによって、間接的にアウトソール周辺部に装着される形となり、アッパー部に加わる力はアウトソール部の挿入孔入口に集中する。その為、挿入孔を出来るだけ小さく取り、すなわち、挿入孔を支える周辺部の体積を大きくすることで、アッパー部を通してアウトソールの挿入孔入口周辺部に係る力に耐えうる構造になっている。
そして、アウトソール部からアッパー部を外す際には、それぞれ各係止突起から各係止孔を外す、または、各嵌合孔及び各係止孔から各嵌合突起を外す。その後に挿入片を引っ張ると、挿入片が挿入孔によって左右から押され、係止孔または嵌合孔が潰れることにより、左右幅が小さくなり、挿入片が挿入孔から抜け、アッパー部を外すことが出来る。
【００２５】
第八発明によれば、第一、第二、第七発明において、さらに挿入片は舌状で、先端が尖った形状を有することから、挿入孔への先端からの挿入が容易に行え、よってアッパー部の装着が容易になる。
また、係止孔は、挿入方向に向かって前後に長く、或いは、先端または/および後端が、尖った形状を有するので、挿入片を挿入する際、または抜く際に、係止孔は潰れやすいので、アッパー部の着脱が容易になる。
【００２６】
第九発明によれば、第一、第七、第八発明の履物においては、係止突起について、第三発明の履物においては係止受け部について、挿入方向手前側がスロープ状に傾斜していることから、挿入片の挿入孔への挿入が容易になる。
すなわち、挿入片が挿入孔へ挿入され貫通する際に、係止突起、または、係止受け部にぶつかることなく、挿入片が係止突起、または、係止受け部手前側の傾斜に沿って係止突起先端、または、係止受け部先端へ自然に滑り上がるため、  挿入片の挿入孔への挿入が容易になる。
【００２７】
第十発明によれば、第二、第七、第八発明の履物において、さらにインソール部または裏蓋に形成された嵌合突起とアウトソール部に形成された嵌合孔が、係止形状になっていることから、嵌合突起が嵌合孔からより外れにくく、すなわち、インソール部または裏蓋がアウトソール部から外れるのを防止することで、さらに挿入片の挿入孔からに抜け止めを図っている。
請求項１の発明によれば、アウトソール部にアッパー部を装着する際には、アッパー部の各挿入片を、アウトソール部の各挿入孔に挿入する。挿入片が挿入孔へ挿入される方向は、従来のように上下方向ではなく、アウトソール部の周囲から内側へ向かい、アウトソール部上面または裏面の中央に形成された凹みに貫通後、挿入片を挿入方向へさらに伸長させ、各挿入片の係止孔を凹み底に配置された係止突起に嵌めることによって、係止孔が係止される。この係止によって挿入片は、挿入孔から抜けにくくなる。さらに、挿入片は、挿入孔によって自由な動きが規制される。これらのことから、アッパー部の抜けが十分に防止できる。
すなわち、挿入片の挿入のためのスペースは大きい程、アッパー部とアウトソール部の接続部分を広く取れるため、アッパー部のアウトソール部への装着を強固にできることから、挿入片を下方ではなく内側に向かわせることにより、大きく必要なスペースを略水平にとることで、アッパー部の抜けが十分に防止できる上、アウトソールの上下方向のスペースを小さくでき、よって、履物の薄型化を図ることができる。
また、係止孔それぞれが係止突起によって係止され、挿入孔によって挿入片の自由な動きが規制されることで、各挿入片一つ一つの抜け止めを図っているが、仮にその一つについて、係止が外れたとしても、隣り合った挿入片が、纏まって外れない以上、挿入片が挿入孔から抜けることはなく、すなわちアッパー部とアウトソール部の装着が外れない構造になっている為、全体重が掛かる履物の安全を十分配慮したものとなっている。
そして、アウトソール部からアッパー部を外す際には、各係止突起から各係止孔を外す。その後に、挿入片を引っ張ると、挿入片が挿入孔から抜け、アッパー部を外すことができる。
これらの構造により、着脱可能に装着される履物のアッパー部の抜けを十分に防止できる上、薄型化を図ることができる。
請求項２または３の発明によれば、請求項１の係止にかえて、インソール部、または、裏蓋に形成された嵌合突起によって、アッパー部の各挿入片に開けられた係止孔とアウトソール部に形成された嵌合孔に同時に貫通と嵌合を行うことにより、挿入片の挿入孔からの抜け止めを図ることが出来る。
すなわち、挿入片が挿入孔へ挿入され、中央凹みに貫通後、インソール部、または、裏蓋に形成された嵌合突起によって、アッパー部の各挿入片に開けられた係止孔とアウトソール部に形成された嵌合孔に同時に貫通と嵌合が行われる。この貫通と嵌合により、第一発明同様、挿入片は挿入孔から抜けにくくなり、着脱可能に装着される履物のアッパー部の抜けを十分に防止できる上、薄型化を図ることができる。
請求項４の発明によれば、請求項１、２または３の発明において、さらに、挿入孔の寸法は、係止孔が潰れることにより、挿入が可能になるぎりぎりの大きさにすることで、挿入片の抜けを十分に防止すると共に、アッパー部に係る力に耐えうる構造になっている。
すなわち、挿入片が挿入時に挿入孔に接し左右から押され、よって係止孔が潰れることにより、左右幅が小さくなることで、はじめて挿入可能になる挿入孔の大きさにする。このことから、次に挿入され貫通し、弾性により元の大きさに拡径するか、次に、挿入片の係止孔に、それぞれアウトソール部の係止突起を嵌め込み、または、インナー部、もしくは、裏蓋の嵌合突起を貫通させることにより、この係止孔はふくらみ、よって挿入片の左右幅は元のように大きくなる。そして、挿入片を挿入孔から抜く方向へ力が加わっても、係止突起、または、嵌合突起がじゃまになり、挿入片の左右幅は小さくならないので、挿入片の抜けを防止できる。
しかも、挿入片を購入孔から引き抜く方向へ力が加わると、挿入片は再び、挿入孔に接し左右から押され、よって係止孔が潰れる方向に力が働くので、係止孔は係止突起、または、嵌合突起を強くつかむことになって、摩擦が大きくなり、係止はより強固になり、挿入片の抜けをより強く防止できる。
また、アッパー部は直接的には、係止孔がアウトソール部の係止突起よって係止され、または、インナー部、もしくは、裏蓋の嵌合突起が、係止孔を貫通し、アウトソール部の嵌合孔に嵌合することにより、アウトソール部の中央の凹み底に装着されるが、アッパー部の挿入片がアウトソール部の挿入孔に挿入され、貫通することによって、間接的にアウトソール周辺部に装着される形となり、アッパー部に加わる力はアウトソール部の挿入孔入口に集中する。その為、挿入孔を出来るだけ小さく取ることで、アッパー部を通してアウトソールの挿入孔入口周辺部に係る力に耐えうる構造になっている。
そして、アウトソール部からアッパー部を外す際には、それぞれ各係止突起から各係止孔を外す、または、各嵌合孔及び各係止孔から各嵌合突起を外す。その後に挿入片を引っ張ると、挿入片が挿入孔によって左右から押され、係止孔または嵌合孔が潰れることにより、左右幅が小さくなり、挿入片が挿入孔から抜け、アッパー部を外すことが出来る。
【図面の簡単な説明】
【００２８】
【図１】第一、第七、第八、第九発明の第一実施形態に係わる履物の分解図で、（Ａ）は履物へ足が接する部分のインソール部の斜視図、（Ｂ）は足の甲を跨ぐ部位を有するアッパー部の斜視図、（Ｂ’）は（Ｂ）のアッパー部の装着する直前の状態を示す斜視図、（Ｃ）は（Ｂ’）のアッパー部が着脱可能なアウトソール部の斜視図、（Ｄ）は（Ｂ’）のアッパー部を（Ｃ）のアウトソール部へ装着した状態の斜視図、（Ｅ）は（Ｄ）に（Ａ）のインソール部を取り付けた斜視図である。
【図２】（Ａ）は図１（Ａ）の平面図、（Ｂ）は図１（Ｂ）の平面図、（Ｃ）は図１（Ｃ）の平面図、（Ｄ）は図１（Ｄ）の平面図、（Ｄ’）は（Ｄ）の一部を透視した平面図、（Ｅ）は図１（Ｅ）の平面図である。
【図３】第一、第二、第七、第八、第九発明に係わる履物の、アウトソール部へアッパー部を装着する機構を説明するもので、（Ｆ１）〜（Ｆ４）は図１（Ｂ）のアッパー部挿入片を図１（Ｃ）のアウトソール部挿入孔へ装着する動作を説明する平面図、（Ｄ１）〜（Ｄ４）は同じく図１（Ｂ）のアッパー部挿入片を図１（Ｃ）のアウトソール部挿入孔へ装着する動作を説明する断面図で、（Ｆ１）（Ｄ１）は挿入前の図、（Ｆ２）（Ｄ２）及び（Ｆ３）（Ｄ３）は挿入途中の図、（Ｆ４）（Ｄ４）は挿入完了の図である。
【図４】第一、第七、第八、第九発明の第一実施形態から第四実施形態に係わる履物の断面図であり、（Ａ）〜（Ｃ），（Ｅ）は第一実施形態における各部の断面図で、（Ａ）はインソール部（Ｂ）はアッパー部（Ｃ）はアウトソール部の装着前の各断面図で、（Ｅ）は装着を完了した断面図、（１ａ）〜（１ｃ），（１ｅ）は第二実施形態における各部の断面図で、（１ａ）はインソール部（１ｂ）はアッパー部（１ｃ）はアウトソール部の装着前の各断面図で、（１ｅ）は装着を完了した断面図、（２ａ）〜（２ｃ），（２ｅ）は第三実施形態における各部の断面図で、（２ａ）はインソール部（２ｂ）はアッパー部（２ｃ）はアウトソール部の装着前の各断面図で、（２ｅ）は装着を完了した断面図、（３ａ）〜（３ｃ），（３ｅ）は第四実施形態における各部の断面図で、（３ａ）は裏蓋（３ｂ）はアッパー部（３ｃ）はアウトソール部の装着前の各断面図で、（３ｅ）は装着を完了した断面図である。
【図５】第二、第七、第八、第十発明の第一実施形態に係わる履物の分解図で、（Ａ）は履物へ足が接する部分のインソール部の斜視図、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｅ）は（Ｄ）に（Ａ）のインソール部を取り付けた斜視図で、（Ａ’）は（Ａ)の断面図、（Ｂ’）は（Ｂ)の断面図、（Ｃ’）は（Ｃ)の断面図、（Ｅ’）は（Ｅ)の断面図で、（Ｄ’）は（Ｄ）の一部を透視した平面図である。
【図６】第三、第九発明の第一実施形態に係わる履物の分解図で、（Ａ）は履物へ足が接する部分のインソール部の斜視図、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｅ）は（Ｄ）に（Ａ）のインソール部を取り付けた斜視図で、（Ａ’）は（Ａ)の断面図、（Ｂ’）は（Ｂ)の断面図、（Ｃ’）は（Ｃ)の断面図、（Ｅ’）は（Ｅ)の挿入片部分の断面図、（Ｅ”）は（Ｅ)の挿入片と挿入片の間の部分の断面図で、（Ｄ’）は中央の係止形状の凹凸を除いて（Ｄ）の一部を透視した平面図である。
【図７】第三、第九発明の第二実施形態に係わる履物の分解図で、（Ａ）は履物へ足が接する部分のインソール部の斜視図、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｅ）は（Ｄ）に（Ａ）のインソール部を取り付けた斜視図で、（Ａ’）は（Ａ)の断面図、（Ｂ’）は（Ｂ)の断面図、（Ｃ’）は（Ｃ)の断面図、（Ｅ’）は（Ｅ)の挿入片部分の断面図、（Ｅ”）は（Ｅ)の挿入片と挿入片の間の部分の断面図で、（Ｄ’）は中央の係止形状の凹凸を除いて（Ｄ）の一部を透視した平面図である。
【図８】第三発明の第三実施形態に係わる履物のアウトソール部へアッパー部を装着する機能を説明するもので、（Ｆ１）〜（Ｆ４）はアッパー部挿入片を、アウトソール部挿入孔へ貫通させ、係止受け部へ挿入する動作を説明する平面図、（Ｄ１）〜（Ｄ４）は同じく、アッパー部挿入片を、アウトソール部挿入孔へ貫通させ、係止受け部へ挿入する動作を説明する断面図で、（Ｆ１）（Ｄ１）は挿入前の図、（Ｆ２）（Ｄ２）及び（Ｆ３）（Ｄ３）は挿入途中の図、（Ｆ４）（Ｄ４）は挿入完了の図である。
【図９】第三、第四、第五発明の第一実施形態に係わる履物の断面図で、（Ｇ）、（Ｇ’）、（Ｅ）は第三発明、（Ｈ）、（Ｈ’），（Ｅ’）は第四発明、（Ｉ）、（Ｉ’）、（Ｅ”）は第五発明に係わる断面図であり、（Ｇ）、（Ｈ）、（Ｉ）はそれぞれの挿入片係止爪手前部分を挿入方向に対して垂直に切断した断面図、（Ｇ’）、（Ｈ’）、（Ｉ’）はそれぞれの挿入片係止爪部分を挿入方向に対して垂直に切断した断面図、（Ｅ）、（Ｅ’）、（Ｅ”）はそれぞれの挿入片部分を挿入方向に切断した断面図である。
【図１０】第六発明の第一実施形態に係わる履物の分解図及びアッパー部のアウトソール部への装着過程を説明した図で、（Ａ）は履物へ足が接する部分のインソール部の斜視図、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｅ）は（Ｄ）に（Ａ）のインソール部を取り付けた斜視図で、（Ｆ１）〜（Ｆ３）は挿入片の挿入孔への挿入過程を説明した図であり、（Ｅ’）は（Ｅ)の断面図で、（Ｄ’）は中央の係止形状の凹凸を除いて（Ｄ）の一部を透視した平面図である。
【発明を実施するための形態】
【００２９】
第一、第七、第八、第九発明の第一実施形態に係わる履物を、図1〜図４に示す。
図１及び図２に示すように、この第一実施形態に係わる履物１はサンダルであり、アウトソール部３にアッパー部５を着脱可能に装着し、着脱機構７をインソール部９で覆うことで、アッパー部５の交換が可能になっている。
図１（Ｃ）に示すように、アウトソール部３は、履物１の下部を構成し、地面に接する部位１１を有する。
【００３０】
図1（Ｂ）図２（Ｂ）に示すように、アッパー部５は、このアウトソール部３に着脱可能で、足の甲を跨ぐ部位１３を有する。この着脱のために、アッパー部５の全周囲には、挿入片１５が複数形成される。
これらの挿入片１５はアッパー部５と同一素材で、一体的に成形されシリコン樹脂などの強度が有り、尚且つ弾性を有する材料から成る。また、各挿入片１５の先端部、ほぼ中央に係止孔１９が開けられ、アッパー部５の周囲、枠部１７に沿って揃えられ、内側に向かってほぼ水平に配置される。もっとも、挿入の際には、図１（Ｂ’）に示すように、各挿入片１５は、弾性により、一時的に下外側へ向けられる。
【００３１】
そして、図１（Ｃ）に示すように、アッパー部５の装着が行われた状態における各挿入片１５の位置で、アウトソール部３の周囲側面の上部縁部に、全周囲にわたって、挿入片１５が挿入され貫通する挿入孔２１が複数形成され、入口２３が開口する。
【００３２】
そして、アッパー部５の挿入片１５を通してアウトソール部３の挿入孔周辺部に係る力に耐えうる為には、挿入孔２１は出来るだけ小さい方が望ましい為、図３（Ｆ１）〜（Ｆ４）などに示すように、挿入孔２１の左右方向(図中上下方向)の寸法は、挿入時に挿入片１５が挿入孔２１に接し左右から押されて、係止孔１９が潰れることにより、左右幅が小さるなることで、はじめて挿入可能になる寸法である。
【００３３】
さらに、図１（Ｃ）、図２（Ｃ）などに示すように、アウトソール部３上面の中央に形成された凹み２５の内周壁２７に各挿入片１５の出口２９が開口する。また、この出口２９付近、アウトソール部３の凹み２５の底に、係止突起３１が形成される。この係止突起３１は凹み２５の底の周囲、アッパー部５を装着した状態における、各挿入片１５の係止孔１９を係止できる位置に、それぞれ配置され、略短円筒上で、挿入片１５の挿入を妨げない様、挿入方向手前側がスロープ状になっている一方で、挿入片１５が容易に外れない様、先端は挿入方向に向かって張り出している。（図３（Ｄ１）〜（Ｄ４））
【００３４】
これらにより、挿入片１５が挿入孔２１へ挿入される方向は、従来のように上下方向ではなく、アウトソール部３の周囲から内側へ向かわせる。また、各挿入片１５を、狭い挿入孔２１に容易に挿入できる様、挿入片１５の形状は舌状で先端が尖った形状を有する（図１（Ｂ）（Ｂ‘）、図２（Ｂ）、図３（Ｆ１）〜（Ｆ４））。また、挿入片を挿入孔から容易に引き抜くことが出来るよう、各嵌合孔１９は、挿入片１５の挿入方向に向かって前後に長く、後端が尖った形状を有し、いわば涙型をなす。（図１（Ｂ）（Ｂ‘）、図２（Ｂ））
【００３５】
そして挿入片１５が凹み２５の出口２９に貫通後、挿入孔２１内で一旦狭められた係止孔１９は弾性により、または作業者の指によって、拡径する。そして挿入片１５を挿入方向に更に伸長させ、挿入方向に向かって張り出した係止突起３１の先端から、拡径した係止孔１９を嵌めることによって、挿入片１５に開けられた係止孔１９が係止される。しかも、挿入片１５を挿入孔２１から引き抜く方向へ力が加わると、挿入片１５は再び、挿入孔２１に接し左右から押され、よって係止孔１９が潰れる方向に力が働くので、係止孔１９は係止突起３１を強くつかむことになって、摩擦が大きくなり、係止はより強固になり、挿入片１５は、挿入孔２１から抜けにくくなる。さらに、挿入片１５は、挿入孔２１によって自由な動きが規制される。これらのことから、アッパー部５の抜けが十分に防止できる。
すなわち、挿入片１５が挿入され係止されるためのスペースは大きい程、アッパー部５とアウトソール部３の接続部分を広く取れるため、アッパー部５のアウトソール部３への装着を強固にできることから、挿入片１５を下方ではなく内側に向かわせることにより、大きく必要なスペースを略水平にとることで、アウトソールの上下方向のスペースを小さくでき、よって、履物の薄型化を図ることができる。
【００３６】
また、図１（Ｂ）（Ｂ‘）や図２（Ｂ）（Ｄ’）などに示すように、アッパー部５の挿入片１５が設けられているそれぞれの箇所の間を繋ぐ部分は滑らかな曲線３３になっている。このため、各係止孔１９が係止突起３１に係止されることで、曲線３３の両側が挿入片１５によって引っ張られ、挿入片１５が設けられない曲線３３部分も、アウトソール部３の中央方向に力が働きアッパー部５のアウトソール部３への装着がより強固なものとなる。
【００３７】
挿入片１５や係止突起３１などで構成される着脱機構７が設けられた凹み２５は、図１（Ｅ）、図２（Ｅ）、図４（Ｅ）に示すようにインソール部９で覆われるが、このインソール部９の下面は係止突起３１群の隙間を埋める形状になっている。よって、このインソール部９装着によって、さらに係止孔１９が係止突起３１から外れにくくなっている。
【００３８】
以上の様な機構により、アッパー部５の交換を自在に行うことが出来る。また、交換するアッパー部５の種類を豊富に揃えることで、アウトソール部３を有効に再利用し、種々のお洒落を楽しむことが出来、トレンドや陳腐化にも対応出来、資源を経済的に利用できる。
【００３９】
第二、第七、第八、第十発明の第一実施形態に係わる履物を、図５に示す。
【００４０】
この第一実施形態に係わる履物１はサンダルであり、アウトソール部３にアッパー部５を着脱可能に装着し、インソール部９で覆うことで、アッパー部５の交換が可能になっている。
また、（Ｃ）、（Ｃ’）に示すように、アウトソール部３は、履物１の下部を構成し、地面に接する部位１１を有する。
さらに、（Ｂ）、（Ｂ’）に示すように、アッパー部５は、このアウトソール部３に着脱可能で、足の甲を跨ぐ部位１３を有する。この着脱のために、アッパー部５の全周囲には、挿入片１５が複数形成される。
これらの挿入片１５はアッパー部５と同一素材で、一体的に成形されシリコン樹脂などの強度が有り尚且つ弾性を有する材料から成る。各挿入片１５はアッパー部５の周囲、枠部１７に沿って揃えられ、内側に向かってほぼ水平に配置される。
アッパー部５の装着が行われた状態における各挿入片１５の位置で、アウトソール部３には、挿入片１５が挿入され貫通する挿入孔２１が形成される。なお、この挿入孔２１はアウトソール部３の周囲側面の上部縁部に、全周囲にわたって複数設けられ、入口２３が開口する。
アウトソール部３の上面中央には浅い凹み２５が形成される。この凹み２５はインソール部９が嵌合されて、完全に覆われる形状と広さを有する。（Ｃ）、（Ｃ’）などに示すように、挿入孔２１は  凹み２５の内周壁２７に出口２９が開口する。これにより、挿入片１５が挿入孔２１へ挿入される方向は、アッパー部５の周囲から内側へ向かう。
【００４１】
そして、各挿入片１５の先端部、ほぼ中央に挿入片１５の挿入方向に向かって前後に長く、後端が尖った形状を有し、いわば涙型をなす係止孔１９が開けられ、挿入孔２１の左右方向の寸法は、挿入時に挿入片１５が挿入孔２１に接し左右から押されて、係止孔１９が潰れることにより、左右幅が小さるなることで、はじめて挿入可能になる寸法である。
【００４２】
ここまでは、第一、第七、第八、第九発明の第一実施形態と同じであるが、第二、第七、第八、第十発明の場合は、他にアッパー部５がアウトソール部３に装着された状態における係止孔１９と重なる位置で、凹み２５の底に嵌合孔３７が形成され、さらに、その係止孔１９を貫通し嵌合孔３７に嵌合にできる位置でインソール部９には嵌合突起３９が形成される。
すなわち挿入片１５を挿入孔２１に貫通させたのち、インソール部９に形成された嵌合突起３９を係止孔１９に貫通させ、嵌合孔３７に嵌めることによって、係止孔１９が嵌合突起３９を介してアウトソール部３に装着される。また、この嵌合突起３５の先端は係止形状を備えることでアウトソール部３によりしっかりと装着され、係止孔１９から嵌合突起３５が外れにくくなり、すなわち、挿入片１５は挿入孔２１から抜けにくくなり、アッパー部５の抜けが十分に防止できる。
そして、挿入片の装着方法以外の機能及び効果に付いては、第一、第七、第八、第九発明の第一実施形態と同様である。
【００４３】
第三、第九発明の第一実施形態に係わる履物を、図６に示す。（以下００４０と同じ）
この第一実施形態に係わる履物１はサンダルであり、アウトソール部３にアッパー部５を着脱可能に装着し、インソール部９で覆うことで、アッパー部５の交換が可能になっている。
また、（Ｃ）、（Ｃ’）に示すように、アウトソール部３は、履物１の下部を構成し、地面に接する部位１１を有する。
さらに、（Ｂ）、（Ｂ’）に示すように、アッパー部５は、このアウトソール部３に着脱可能で、足の甲を跨ぐ部位１３を有する。この着脱のために、アッパー部５の全周囲には、挿入片１５が複数形成される。
これらの挿入片１５はアッパー部５と同一素材で、一体的に成形されシリコン樹脂などの強度が有り尚且つ弾性を有する材料から成る。各挿入片１５はアッパー部５の周囲、枠部１７に沿って揃えられ、内側に向かってほぼ水平に配置される。
アッパー部５の装着が行われた状態における各挿入片１５の位置で、アウトソール部３には、挿入片１５が挿入され貫通する挿入孔２１が形成される。なお、この挿入孔２１はアウトソール部３の周囲側面の上部縁部に、全周囲にわたって複数設けられ、入口２３が開口する。
アウトソール部３の上面中央には浅い凹み２５が形成される。この凹み２５はインソール部９が嵌合されて、完全に覆われる形状と広さを有する。（Ｃ）、（Ｃ’）などに示すように、挿入孔２１は  凹み２５の内周壁２７に出口２９が開口する。これにより、挿入片１５が挿入孔２１へ挿入される方向は、アッパー部５の周囲から内側へ向かう。
【００４４】
ここまでは、第一、第七、第八、第九発明の第一実施形態と同じであるが、第三、第九発明の第一実施形態の場合は、挿入片１５が挿入孔２１へ挿入され、中央に形成された凹み２５に貫通後、凹み２５底に配置された係止受け部４５によって、係止爪４１が係止される。そして、この係止受け部４５の形状は挿入方向手前側がスロープ状に傾斜していることによって、挿入片１５挿入の妨げにならず、スムーズな着脱が可能になっている。また、係止保持部４５の嵌めこみ口が係止爪４１の対応箇所の寸法より狭くなっている上、先端が挿入方向に向かって張り出して（Ｅ”）いることで、係止爪４１が係止受け部４５から外れることを防止している。
よって、この係止により、第一発明同様、挿入片は挿入孔から抜けにくくなり、アッパー部の抜けが十分に防止できる上、履物の薄型化を図ることができる。すなわち、挿入片の装着方法以外の機能及び効果に付いては、第一、第七、第八、第九発明の第一実施形態と同様である。
【００４５】
第三、第九発明の第二実施形態に係わる履物を、図７に示す。（以下００４０と同じ）
この第二実施形態に係わる履物１はサンダルであり、アウトソール部３にアッパー部５を着脱可能に装着し、インソール部９で覆うことで、アッパー部５の交換が可能になっている。
また、（Ｃ）、（Ｃ’）に示すように、アウトソール部３は、履物１の下部を構成し、地面に接する部位１１を有する。
さらに、（Ｂ）、（Ｂ’）に示すように、アッパー部５は、このアウトソール部３に着脱可能で、足の甲を跨ぐ部位１３を有する。この着脱のために、アッパー部５の全周囲には、挿入片１５が複数形成される。
これらの挿入片１５はアッパー部５と同一素材で、一体的に成形されシリコン樹脂などの強度が有り尚且つ弾性を有する材料から成る。各挿入片１５はアッパー部５の周囲、枠部１７に沿って揃えられ、内側に向かってほぼ水平に配置される。
アッパー部５の装着が行われた状態における各挿入片１５の位置で、アウトソール部３には、挿入片１５が挿入され貫通する挿入孔２１が形成される。なお、この挿入孔２１はアウトソール部３の周囲側面の上部縁部に、全周囲にわたって複数設けられ、入口２３が開口する。
アウトソール部３の上面中央には浅い凹み２５が形成される。この凹み２５はインソール部９が嵌合されて、完全に覆われる形状と広さを有する。（Ｃ）、（Ｃ’）などに示すように、挿入孔２１は  凹み２５の内周壁２７に出口２９が開口する。これにより、挿入片１５が挿入孔２１へ挿入される方向は、アッパー部５の周囲から内側へ向かう。
【００４６】
ここまでは、第一、第七、第八、第九発明の第一実施形態と同じであるが、第三、第九発明の第二実施形態の場合は、挿入片１５が挿入孔２１へ挿入され、中央の凹み２５に貫通後、凹み２５の底に形成された挿入片１５の先端部と凹凸が対になっている係止受け部４５に嵌めこまれることによって、係止くびれ４３が係止される。そして、この係止受け部４５の形状は挿入方向手前側がスロープ状に傾斜している（Ｅ”）ことによって、挿入片１５の挿入の妨げにならず、スムーズな着脱が可能になると同時に、係止保持部４５の嵌めこみ口が係止爪４１の対応箇所の寸法より狭くなっていることで、係止くびれ４３が係止受け部４５から外れることを防止している。
よって、この係止により、第一発明同様、挿入片１５は２１から抜けにくくなり、アッパー部５の抜けが十分に防止できる上、履物の薄型化を図ることができる。
すなわち、挿入片の装着方法以外の機能及び効果に付いては、第一、第七、第八、第九発明の第一実施形態と同様である。
【００４７】
第四発明の第一実施形態に係わる履物の挿入片部分断面図を、図９（Ｈ）、（Ｈ‘）、（Ｅ’）に示す。
この第一実施形態に係わる履物は、その機能、効果、及び構成部分に付いて、挿入片１５のアウトソール部３への係止方法が異なる以外は、第一、第七、第八、第九発明と同じである為、異なる部分以外は説明を省略する。
この実施形態の場合は、インソール部９に、挿入片１５先端部と凹凸が対になっている係止受け部４５が形成されている。そして、このインソール部９が、アウトソール部３に装着されることで、挿入片１５に形成された係止爪４１が係止受け部４５に係止される。そしてこの場合は、インソール部９の装着によって、挿入片１５が係止されることから、インソール部９がアウトソール部３に強固に装着される必要があるため、アウトソール部３とインソール部９の、それぞれの隣り合った各挿入片１５の間に係止形状４７の凹凸を設けることで、インソール部９の装着を強固にさせている。
以上によって、第一発明同様、挿入片は挿入孔から抜けにくくなり、アッパー部５の抜けが十分に防止できる上、履物の薄型化を図ることができる。
【００４８】
第五発明の第一実施形態に係わる履物の挿入片部分断面図を、図９（Ｉ）、（Ｉ‘），（Ｅ“）に示す。
この第一実施形態に係わる履物は、その機能、効果、及び構成部分に付いて、挿入片１５のアウトソール部３への係止方法が異なる以外は、第一、第七、第八、第九発明と同じである為、異なる部分以外は説明を省略する。
この実施形態の場合は、インソール部９がアウトソール部３に装着されることで、挿入片１５先端部と凹凸が対になっている係止受け部４５が形成される。そして、このインソール部９が、アウトソール部３に装着されることで、挿入片１５に形成された係止爪４１がインソール部９とアウトソール部３の双方によって形成された、係止受け部４５によって係止される。そしてこの場合は、インソールの装着によって、挿入片１５が係止されることから、インソール部９がアウトソール部３に強固に装着される必要があるため、アウトソール部３とインソール部９の、それぞれの隣り合った各挿入片１５の間に係止形状の凹凸を設けることで、インソール９の装着を強固にさせている。
以上によって、第一発明同様、挿入片は挿入孔から抜けにくくなり、アッパー部の抜けが十分に防止できる上、履物の薄型化を図ることができる。
【００４９】
第六発明の第一実施形態に係わる履物を、図１０に示す。
この第一実施形態に係わる履物１はサンダルであり、アウトソール部３にアッパー部５を着脱可能に装着し、インソール部９で覆うことで、アッパー部５の交換が可能になっている。
また、（Ｃ）に示すように、アウトソール部３は、履物１の下部を構成し、地面に接する部位１１を有する。
さらに、（Ｂ）に示すように、アッパー部５は、このアウトソール部３に着脱可能で、足の甲を跨ぐ部位１３を有する。この着脱のために、アッパー部５の全周囲には、挿入片１５が複数形成される。
これらの挿入片１５はアッパー部５と同一素材で、一体的に成形されシリコン樹脂などの強度が有り尚且つ弾性を有する材料から成る。各挿入片１５はアッパー部５周囲、枠部１７に沿って揃えられ、内側に向かってほぼ水平に配置される。
アッパー部５の装着が行われた状態における各挿入片１５の位置で、アウトソール部３には、挿入片１５が挿入され貫通する挿入孔２１が形成される。なお、この挿入孔２１はアウトソール部３の周囲側面の上部縁部に、全周囲にわたって複数設けられ、入口２３が開口する。
アウトソール部３の上面中央には浅い凹み２５が形成される。この凹み２５はインソール部９が嵌合されて、完全に覆われる形状と広さを有する。（Ｃ）などに示すように、挿入孔２１は  凹み２５の内周壁２７に出口２９が開口する。これにより、挿入片１５が挿入孔２１へ挿入される方向は、アッパー部５の周囲から内側へ向かう。
【００５０】
ここまでは、第一、第七、第八、第九発明の第一実施形態と同じであるが、第六発明の第一実施形態の場合は、第一発明における係止突起３９のような挿入片１５をアウトソール部３に装着させる機構を設けることなく、（Ｆ１）、（Ｆ２）、（Ｆ３）にその挿入過程を示したように、挿入孔２１そのものが係止受け部となり、挿入片１５に形成された係止爪４１が凹み２５に貫通すると同時に係止される。この係止により、第一発明同様、挿入片は挿入孔から抜けにくくなり、アッパー部の抜けが十分に防止できる上、履物の薄型化を図ることができる。すなわち、挿入片の装着方法以外の機能及び効果に付いては、第一、第七、第八、第九発明の第一実施形態と同様である。
【００５１】
「他の実施形態」
（１）以上の実施形態では挿入孔２１は、アウトソール部３の周囲側面に入口２３が開口し、全路にわたってほぼ水平であったが、図４に示す第二実施形態のように、アウトソール部３の周囲上面に入口２３を開口し(図４（１ａ）（１ｂ）（１ｃ）（１ｅ）)、略Ｌ字状に屈曲した後ほぼ水平になるものでもよい。（第一発明に限らず、第二〜第十発明においても可能である。）
（２）また、(図４（２ａ）（２ｂ）（２ｃ）（２ｅ）)に示す第３実施形態のようにアウトソール部３の周囲の側面と上面の合わさる角部に入口２３を開口し、略Ｌ字状に屈曲した後ほぼ水平にとなるものでもよい。（第一発明に限らず、第二〜第十発明においても可能である。）
【００５２】
（３）以上の実施形態では、アッパー部５を着脱する際にはインソール部９を外し、着脱機構７を露出させる必要があった。しかし、他の実施形態では、アウトソール部３の底面裏から常時、着脱機構７を露出させ、係止突起３１の向きを逆に下向きにすれば、アウトソール部３の底面裏側から、挿入や係止などの操作ができるので、インソール部９を外さなくても、アッパー部５の着脱が可能になる。（第一発明に限らず、第三、第六、第七、第八、第九においても可能である。）
【００５３】
（４）また上記（３）のように係止突起３１の向きを下向きにするだけだはなく、アウトソール部３の底面裏側に露出する着脱機構７を裏蓋３５により覆うことも可能である。アッパー部５を着脱する際には、この裏蓋３５を外し、着脱機構７を露出させる。また、裏蓋３５の下方への脱落を防止するために、裏蓋３５とアウトソールの底面裏蓋３５とを凹凸の係止形状４７で係止する。（第一発明に限らず、第二〜第十発明においても可能である。）
（５）この場合に、(図４（３ａ）（３ｂ）（３ｃ）（３ｅ）)に示す第４実施形態のように、アッパー部５はインソール部９を一体的に有する形状にすることも可能である。インソール部９を一体にし、取り外しできない構造にすることで、防水がより可能になる。また、この場合も、裏蓋３５の下方への脱落を防止するために、裏蓋３５とアウトソールの底面裏蓋３５とを凹凸の係止形状４７で係止する。（第一発明に限らず、第二〜第十発明においても可能である。）
【００５４】
（６）以上の実施形態では係止孔１９は後端が尖った形状を有するものであったが、他の実施形態では、先端が尖った形状を有するものであってもよい。また、先端および後端がともに尖った形状を有するものであっても良い。これにより１５の挿入容易性はさらに向上する。
（７）さらに、裏蓋３５の脱落防止の為だけでなく、インソール部９に付いても、外れを防止するため、(図)６(Ｄ‘)、図７（Ｄ‘）、図９(Ｇ)、（Ｇ’）、（Ｇ“）、図１０（Ｄ‘））にあるように隙間箇所に係止形状の突起を設けることもできるほか、インソール部９、または、裏蓋３５全体をアウトソール部の凹み２５と凹凸の係止形状４７にすることで、係止させることも出来る。
【００５５】
（８）以上の実施形態では、各係止受け部４５は係止爪４１あるいは、くびれ部４３の左右を隣り合った係止受け部が繋がれた一体型に形成されているが、２つの突起によって係止することも可能である。この場合も、その突起については、挿入方向手前側をスロープ状に傾斜させることによって、挿入片１５の挿入の妨げにならず、スムーズな着脱が可能になると同時に、係止受け部４５の嵌めこみ口を係止爪４１、または、係止くびれ４３の対応箇所の寸法より狭くすることや、係止受け部４５の先端部が挿入方向に張り出た形状にすることで、係止爪４１、または、係止くびれ４３が係止受け部４５から外れることを防止できる。
（９）また、以上の実施形態では、挿入片先端がそれぞれ係止爪に付いては↑状、係止くびれについては○形状のものを図示しているが、係止受け部４５によって係止できる形状で、爪等の張出し、または、くびれを備えていれば、星形、もしくは、ハート形などの特定の形状でも、または、左右非対称のものでも係止は可能である。
【００５６】
（１０）さらに以上の実施形態では、係止爪４１またはくびれ部４３について、爪、または、くびれが挿入片の左右方向に形成されたものであったが、左右の内片方のみ、または上下方向の両方、または何れかに形成された物でも、或いは全方向に形成されたものでもよい。
また、この場合も、その突起については、挿入方向手前側がスロープ状に傾斜させることによって、挿入片挿入の妨げにならず、スムーズな着脱が可能になると同時に、係止受け部４５の嵌めこみ口を係止爪４１、または係止くびれ４３の対応箇所の寸法より狭くすることや、係止受け部４５の先端部が挿入方向に張り出た形状にすることで、係止爪４１または係止くびれ４３が係止受け部から外れることを防止できる。
【００５７】
（１１）さらに、係止爪４１、または係止くびれ４３に付き、以上のように、係止受け部４５から外れないような機構を設ける一方で、図７（Ｃ）のような凹み形状の係止受け部４５については、外すときにも、容易にできる様、挿入片１５に指が引っ掛かる突起を設けたり、係止受け部４５の隣接部分に、さらに指を入れる凹みを設けることも出来る。
（１２）
また、第三発明の係止保持部４５に付いて、図８の上面図（Ｆ１）〜（Ｆ４），断面図（Ｄ１）〜（Ｄ４）にあるように、挿入片１５が凹み２５に貫通し、のちにループ状に形成された係止受け部４５にさらに、挿入し貫通することで、第六発明の係止爪４１同様、係止される形状のものでもよい。
【００５８】
（１３）
以上の実施形態では、アッパー部５、アウトソール部３について、全周にわたり、挿入片１５及び挿入孔２１が形成されたものになっているが、アッパーの取り換えに付き、サンダル等の特定の箇所のみ足を跨ぐ形状のもので、形状を限定して取り替える使い方をする場合は、その箇所に限定して挿入片１５及び挿入孔２１を形成したものでもよい。
【００５９】
（１４）この実施形態に係わる履物１はサンダルであったが、他の実施形態では、アウトソール部３とアッパー部５とを有して成る他の履物１、例えば靴やブーツなどに、本発明を実施することは可能である。
（１５）以上の実施形態では、挿入片１５はアッパー部５と同一素材で、一体的に成形するものであったが、他の実施形態では、別素材とすることも、もちろん可能である。例えば、挿入片１５はシリコンゴム製とし、アッパー部５は革製とし、両者をつなぎ合わせて一体化することも可能である。
【符号の説明】
【００６０】
１・・・履物、３・・・アウトソール部、５・・・アッパー部、７・・・着脱機構、９・・・インソール部、１１・・・地面に接する部分、１３・・・足の甲を跨ぐ部位、１５・・・挿入片、１７・・・枠部、１９・・・係止孔、２１・・・挿入孔、２３・・・入口、２５・・・凹み、２７・・・内周壁、２９・・・出口、３１・・・係止突起、３３・・・曲線、３５・・・裏蓋、３７・・・嵌合孔、３９・・・嵌合突起、４１・・・係止爪、４３・・・係止くびれ、４５・・・係止受け部、４７・・係止形状
【要約】      （修正有）【課題】サンダルのアッパー部が着脱可能に装着され、装着されたアッパー部の抜けを十分に防止でき、しかも薄型化を図れる履物を提供する。【解決手段】アウトソール部３にアッパー部５を着脱するために、アッパー部５の周囲に複数の弾性を有する材料から成る挿入片１５が形成され、各挿入片１５には係止孔１９が開けられる。アッパー部５の装着が行われた状態における各挿入片１５の位置で、前記アウトソール部３には、挿入片１５が挿入され貫通する挿入孔２１が形成される。この貫通した状態において、拡径した係止孔１９を係止できる位置で、アウトソール部３に係止突起３１が形成される。挿入孔２１の寸法は、挿入時に挿入片１５が挿入孔２１に接し左右から押されて係止孔１９が潰れることにより左右幅が潰れ小さくなることで、はじめて挿入可能になる寸法とする。【選択図】図１【図１】
0005904262.tif 000002
【図２】
0005904262.tif 000003
【図３】
0005904262.tif 000004
【図４】
0005904262.tif 000005
【図５】
0005904262.tif 000006
【図６】
0005904262.tif 000007
【図７】
0005904262.tif 000008
【図８】
0005904262.tif 000009
【図９】
0005904262.tif 000010
【図１０】
0005904262.tif 000011